(57)【要約】【課題】排紙される用紙を支持する支持トレイを備えながらも、高さ寸法を抑制することのできる用紙カセットを提供する。【解決手段】媒体収容カセットは、媒体を収容する媒体収容部と、前記媒体収容部に対し回動可能に設けられ、回動することにより前記媒体収容部の上部に位置するとともに媒体を支持する媒体支持面が下向きとなる収納状態と、前記媒体支持面が上向きとなるとともに前記媒体収容部の外側に前記媒体支持面が展開される展開状態とを取り得る媒体支持トレイとを備える。【選択図】図２
2014213982.tif 000002
【特許請求の範囲】
【請求項１】
媒体を収容する媒体収容部と、
前記媒体収容部に対し回動可能に設けられ、回動することにより前記媒体収容部の上部に位置するとともに媒体を支持する媒体支持面が下向きとなる収納状態と、回動することにより前記媒体支持面が上向きとなるとともに前記媒体収容部の外側に前記媒体支持面の少なくとも一部が展開される展開状態とを取り得る媒体支持トレイと、
を備えて成る媒体収容カセット。
【請求項２】
請求項１に記載の媒体収容カセットにおいて、前記媒体支持トレイは、前記展開状態において前記媒体支持面が前記媒体支持トレイの先端に向かって斜め上を向く傾斜面となる、
ことを特徴とする媒体収容カセット。
【請求項３】
請求項１または２に記載の媒体収容カセットにおいて、前記媒体支持トレイは、前記媒体支持面を形成するトレイ本体部と、
前記媒体支持トレイの回動軸線方向において前記トレイ本体部の両端部に設けられ、前記トレイ本体部から前記媒体支持トレイの回動中心に向かって延びる形状を成し、前記媒体収容部と回動可能に連結されて前記媒体支持トレイの回動中心を形成するアーム部と、を備えて成る、
ことを特徴とする媒体収容カセット。
【請求項４】
媒体に記録を行う記録ヘッドと、
前記記録ヘッドを備えた装置本体に対し着脱可能な、請求項１から３のいずれか一項に記載の媒体収容カセットと、を備え、
記録が行われて前記装置本体から排出される媒体が、前記展開状態にある前記媒体支持トレイによって支持される、
ことを特徴とする記録装置。
【請求項５】
媒体に記録を行う記録ヘッドと、
媒体を収容する媒体収容部と、
前記媒体収容部に対し回動可能に設けられ、回動することにより前記媒体収容部の上部に位置するとともに媒体を支持する媒体支持面が下向きとなる収納状態と、回動することにより前記媒体支持面が上向きとなるとともに前記媒体収容部の外側に前記媒体支持面の少なくとも一部が展開される展開状態とを取り得る、記録が行われた排出される媒体を支持する媒体支持トレイと、
を備えた記録装置。
【請求項６】
請求項４または請求項５に記載の記録装置において、前記媒体収容部は、装着状態において前記記録ヘッドを備えた装置本体の周囲を構成する一の側面から突出した状態となり、
前記媒体収容部において前記一の側面から突出した部分と前記媒体支持トレイとの間に開口部が形成される、
ことを特徴とする記録装置。
【請求項７】
請求項６に記載の記録装置において、媒体を排出する排出ローラーと、
前記排出ローラーと前記媒体支持トレイとの間に設けられた、媒体を前記媒体支持トレイに案内する案内面を形成する中間案内部材と、
を備える記録装置。
【請求項８】
請求項７に記載の記録装置において、前記中間案内部材は、前記開口部を覆うカバーを兼ねる、
ことを特徴とする記録装置。
【請求項９】
請求項８に記載の記録装置において、前記中間案内部材は回動可能に設けられ、前記媒体支持トレイの姿勢に応じて姿勢変化が可能である、
ことを特徴とする記録装置。
【発明の詳細な説明】
【技術分野】
【０００１】
本発明は、媒体に記録を行う記録装置の本体に対し着脱可能な媒体収容カセットに関する。また本発明は、前記媒体収容カセットを備えた記録装置に関する。
【背景技術】
【０００２】
ファクシミリやプリンターに代表される記録装置において、装置本体に対して着脱可能な用紙カセットは従来から広く用いられている。また、その中でも特許文献１や特許文献２に示されるように、一つの着脱自在な用紙カセットにおいて下段と上段に用紙収容部を備えた２段式構造のものが知られている。
【０００３】
また特許文献１、２記載の用紙カセットは、記録の行われた用紙を受ける排紙受け部を、上段の第２給紙カセットで兼用する様に構成されている。即ち、第２給紙カセットは、その下側の第１給紙カセットから用紙を送り出す際に邪魔にならない様に後退させた位置と、当該第２給紙カセットから用紙を送り出す為に前進した位置とを、ユーザー操作によって切り換えるように構成されている。そして特に後退位置では、第１給紙カセットから給紙されて記録が行われた比較的大きめの用紙を、第２給紙カセットに一体的に構成された排紙受け部により受けることができる様になっている。
【先行技術文献】
【特許文献】
【０００４】
【特許文献１】特開２００６−２７３５６５号公報
【特許文献２】特開２００７−９１４４５号公報
【発明の概要】
【発明が解決しようとする課題】
【０００５】
上記の様に排紙受け部を用紙カセットに設ける構成にあっては、記録装置の本体側に排紙受け部を支持する支持構造を設ける必要がなく、低コスト化を図ることができるというメリットがある。しかしながらその反面、以下の様なデメリットもある。
【０００６】
即ち、排紙受け部が用紙を支持する支持面は、排出される用紙が滑り落ちない様に先端が上向きとなる傾斜面となっていることが好ましい。しかしながら上述した従来技術の様に排紙受け部を用紙カセットに設ける構成において用紙を支持する支持面を上向き傾斜とすると、用紙カセット全体の高さ寸法が増加してしまい、その結果用紙カセットを装着する記録装置本体の高さ寸法も増加してしまうことになる。
【０００７】
本発明はこの様な状況に鑑みなされたものであり、その目的は、排紙される用紙を支持する支持トレイを備えながらも、高さ寸法を抑制することのできる用紙カセットを提供することにある。
【課題を解決するための手段】
【０００８】
上記課題を解決する為の、本発明の第１の態様に係る媒体収容カセットは、媒体を収容する媒体収容部と、前記媒体収容部に対し回動可能に設けられ、回動することにより前記媒体収容部の上部に位置するとともに媒体を支持する媒体支持面が下向きとなる収納状態と、回動することにより前記媒体支持面が上向きとなるとともに前記媒体収容部の外側に前記媒体支持面の少なくとも一部が展開される展開状態とを取り得る媒体支持トレイとを備えて成ることを特徴とする。
【０００９】
本態様によれば、媒体収容カセットに設けられた媒体支持トレイは、回動することにより媒体収容部の上部に位置するとともに媒体を支持する媒体支持面が下向きとなる収納状態と、前記媒体支持面が上向きとなるとともに前記媒体収容部の外側に前記媒体支持面の少なくとも一部が展開される展開状態とを取り得るので、前記収納状態と前記展開状態とで異なる姿勢を設定することができる。その為、前記収納状態において媒体収容カセットの高さ方向（媒体の積重方向）寸法を抑えることができ、更に前記展開状態において前記媒体支持トレイの適切な姿勢を確保することができる。
【００１０】
本発明の第２の態様は、第１の態様において、前記媒体支持トレイは、前記展開状態において前記媒体支持面が前記媒体支持トレイの先端に向かって斜め上を向く傾斜面となることを特徴とする。  
本態様によれば、前記媒体支持トレイは、前記展開状態において前記媒体支持面が前記媒体支持トレイの先端に向かって斜め上を向く傾斜面となるので、前記媒体支持トレイの上方から排出されて前記媒体支持面に支持される媒体が媒体支持トレイから滑り落ちることを防止でき、媒体を適切に支持することができる。
【００１１】
本発明の第３の態様は、第１のまたは第２の態様において、前記媒体支持トレイは、前記媒体支持面を形成するトレイ本体部と、前記媒体支持トレイの回動軸線方向において前記トレイ本体部の両端部に設けられ、前記トレイ本体部から前記媒体支持トレイの回動中心に向かって延びる形状を成し、前記媒体収容部と回動可能に連結されて前記媒体支持トレイの回動中心を形成するアーム部と、を備えて成ることを特徴とする。
【００１２】
本態様によれば、前記媒体支持トレイは、その本体部が、回動中心を形成するアーム部を介して前記媒体収容部に回動可能となっている。即ち、前記展開状態においてトレイ本体部が回動中心から離れた場所に位置することができる。これにより前記展開状態において、前記媒体収容部の上方を大きく開放することができ、前記媒体収容部に媒体を収容する際の作業性が向上する。
【００１３】
本発明の第４の態様に係る記録装置は、媒体に記録を行う記録ヘッドと、前記記録ヘッドを備えた装置本体に対し着脱可能な、第１から第３の態様のいずれかに係る媒体収容カセットと、を備え、記録が行われて前記装置本体から排出される媒体が、前記展開状態にある前記媒体支持トレイによって支持されることを特徴とする。  
本態様によれば、媒体に記録を行う記録装置において、上記第１から第３の態様のいずれかと同様な作用効果を得ることができる。
【００１４】
本発明の第５の態様に係るは、媒体に記録を行う記録ヘッドと、媒体を収容する媒体収容部と、前記媒体収容部に対し回動可能に設けられ、回動することにより前記媒体収容部の上部に位置するとともに媒体を支持する媒体支持面が下向きとなる収納状態と、回動することにより前記媒体支持面が上向きとなるとともに前記媒体収容部の外側に前記媒体支持面の少なくとも一部が展開される展開状態とを取り得る、記録が行われた排出される媒体を支持する媒体支持トレイとを備えたことを特徴とする。
【００１５】
本態様によれば、記録装置に設けられた媒体支持トレイは、回動することにより媒体収容部の上部に位置するとともに媒体を支持する媒体支持面が下向きとなる収納状態と、前記媒体支持面が上向きとなるとともに前記媒体収容部の外側に前記媒体支持面の少なくとも一部が展開される展開状態とを取り得るので、前記収納状態と前記展開状態とで異なる姿勢を設定することができる。その為、前記収納状態において媒体収容カセットの高さ方向（媒体の積重方向）寸法を抑えることができ、更に前記展開状態において前記媒体支持トレイの適切な姿勢を確保することができる。
【００１６】
本発明の第６の態様は、第４のまたは第５の態様において、前記媒体収容部は、装着状態において前記記録ヘッドを備えた装置本体の周囲を構成する一の側面から突出した状態となり、前記媒体収容部において前記一の側面から突出した部分と前記媒体支持トレイとの間に開口部が形成されることを特徴とする。
【００１７】
本態様によれば、前記媒体収容部と前記媒体支持トレイとの間に開口部が形成されることから、前記媒体収容部内の媒体の有無を、前記開口部を介して容易に確認することができる。
【００１８】
本発明の第７の態様は、第６の態様において、媒体を排出する排出ローラーと、前記排出ローラーと前記媒体支持トレイとの間に設けられた、媒体を前記媒体支持トレイに案内する案内面を形成する中間案内部材とを備えることを特徴とする。
【００１９】
本態様によれば、媒体を排出する排出ローラーと前記媒体支持トレイとの間に、媒体を前記媒体支持トレイに案内する案内面を形成する中間案内部材を備えるので、排出される媒体が円滑に前記媒体支持トレイに支持される。
【００２０】
本発明の第８の態様は、第７の態様において、前記中間案内部材は、前記開口部を覆うカバーを兼ねることを特徴とする。  
本態様によれば、前記中間案内部材は、前記開口部を覆うカバーを兼ねるので、前記開口部内に異物が入り込むことを防止できる。加えて、前記中間案内部材が前記カバーを兼ねることで、コストアップを抑えることができる。
【００２１】
本発明の第９の態様は、第８の態様において、前記中間案内部材は回動可能に設けられ、前記媒体支持トレイの姿勢に応じて姿勢変化が可能であることを特徴とする。  
本態様によれば、前記中間案内部材は回動可能に設けられ、前記媒体支持トレイの姿勢に応じて姿勢変化が可能であるので、排出される媒体をより円滑に媒体支持トレイに案内することができる。
【図面の簡単な説明】
【００２２】
【図１】本発明に係る給紙カセットの外観を示す斜視図である。
【図２】本発明に係る給紙カセットの外観を示す斜視図である。
【図３】右側のアームを拡大して示す拡大図である。
【図４】本発明に係るプリンターの上側の断面と外観とを示す斜視図である。
【図５】本発明に係るプリンターの上側の断面と外観とを示す斜視図である。
【図６】本発明に係るプリンターの上側の断面と外観とを示す斜視図である。
【図７】本発明に係るプリンターの上側の断面と外観とを示す斜視図である。
【図８】本発明に係るプリンターの断面図である。
【図９】本発明に係るプリンターの上側の断面と外観とを示す斜視図である。
【発明を実施するための形態】
【００２３】
以下、本発明の実施の形態を図面に基づいて説明する。  
図１および図２は、本発明の実施の形態の一例である給紙カセット１１の外観を示す斜視図である。図１は、スタッカ２２を収納した状態である収納状態の給紙カセット１１の外観を示す斜視図であり、図２は、スタッカ２２を展開した状態である展開状態の給紙カセット１１の外観を示す斜視図である。
【００２４】
以下、給紙カセット１１に対して前後の方向をＹ軸で図示し、上下の方向をＺ軸で図示し、左右の方向をＸ軸で図示する。また、以下、Ｘ軸方向のうち、図１中の左側を単に左側と称し、Ｘ軸方向のうち、図１中の右側を単に右側と称する。さらに、以下、Ｙ軸方向のうち、図１中の手前側を単に前側と称し、Ｙ軸方向のうち、図１中の奥側を単に後側と称する。さらにまた、以下、Ｚ軸方向のうち、図１中の上側を単に上側と称し、Ｚ軸方向のうち、図１中の下側を単に下側と称する。
【００２５】
給紙カセット１１は、媒体に記録を行う記録装置の本体に対し着脱可能な媒体収容カセットの一例である。給紙カセット１１は、媒体の一例である用紙を収容する。
【００２６】
給紙カセット１１は、収容部２１、スタッカ２２、および引出部２４を備える。給紙カセット１１の前側には、収容部２１とスタッカ２２との間に開口部２３が形成されている。収容部２１は、媒体収容部の一例であり、Ｚ軸方向に重ねられた用紙を収容する。給紙カセット１１が記録装置の一例であるプリンター５１（図４、後述）に装着され、プリンター５１が用紙に記録する場合、プリンター５１は、収容部２１から収容されている用紙のそれぞれを取り出して搬送し、その用紙に記録する。また、給紙カセット１１は、プリンター５１に装着され、プリンター５１が用紙に記録する場合、記録された用紙を支持する。
【００２７】
スタッカ２２は、媒体支持トレイの一例である。スタッカ２２は、給紙カセット１１がプリンター５１に装着され、プリンター５１が用紙に記録する場合、記録されて排出された用紙を支持する。スタッカ２２には、トレイ本体部３１、アーム３２、引出トレイ３３、および展開トレイ３４が設けられている。トレイ本体部３１は、トレイ本体部の一例であり、収容部２１に対し回動可能に設けられている。トレイ本体部３１の一方の面には、媒体支持面の一例である支持面４１が形成されている。
【００２８】
スタッカ２２は、収納状態（図１）と展開状態（図２）とを取り得る。スタッカ２２は、収納状態にある場合、収容部２１の上部に位置する。また、スタッカ２２が収納状態にある場合、用紙を支持する支持面４１が下向きとなる。スタッカ２２が展開状態にある場合、支持面４１は、上向きとなるとともに収容部２１の外側に展開される。
【００２９】
スタッカ２２が、収納状態と展開状態とを取り得るので、収納状態と展開状態とで異なる姿勢（支持面４１が異なる角度）を設定することができる。その為、収納状態において支持面４１が収容部２１の底面に対し水平姿勢をとることで、収納状態において給紙カセット１１の高さ方向（媒体の積重方向）寸法を抑えることができ、更に展開状態においてスタッカ２２の適切な姿勢（支持面４１が上向き傾斜）を確保することができる。
【００３０】
即ちスタッカ２２は、展開状態において支持面４１のＺ軸方向の位置は、Ｙ軸方向の位置が前に変化するに従い、上に変化する。すなわち、スタッカ２２は、展開状態において支持面４１がスタッカ２２の先端に向かって斜め上を向く傾斜面となる。これにより、スタッカ２２の上方から排出されて支持面４１に支持される用紙がスタッカ２２から滑り落ちることを防止でき、用紙を適切に支持することができる。
【００３１】
スタッカ２２は、収納状態から展開状態にされる場合、または展開状態から収納状態にされる場合、ユーザーによってアーム３２を中心に回動させられる。なお、ユーザーとは、エンドユーザーに限られず、給紙カセット１１を備える記録装置の組立作業またはアフターメンテナンスを行う人など、給紙カセット１１を扱う全ての人を意味する。
【００３２】
アーム３２は、アーム部の一例であり、収容部２１と回動可能に連結されてスタッカ２２の回動中心を形成する。例えば、左側のアーム３２の左側と右側のアーム３２の右側とに円筒状の突起が設けられ、収容部２１にはアーム３２の突起に対応する形状の凹部が設けられ、その突起が凹部に挿入されることにより、アーム３２は、収容部２１に対して回動自在とされる。
【００３３】
図３は、右側のアーム３２を拡大して示す拡大図である。なお、図１乃至図３の線Ａは、スタッカ２２の回動中心の軸を表す回動軸線を示す。アーム３２は、スタッカ２２の回動軸線方向においてトレイ本体部３１の両端部に設けられ、トレイ本体部３１からスタッカ２２の回動中心に向かって延びる形状とされている。
【００３４】
このように、スタッカ２２は、トレイ本体部３１が、回動中心を形成するアーム３２を介して収容部２１に回動可能となっている。即ち、展開状態においてトレイ本体部３１が回動中心から離れた場所に位置することができる。換言すれば、展開状態においてトレイ本体部３１が収容部２１から離れた場所に位置することができる。これにより展開状態において、収容部２１の上方を大きく開放することができ、収容部２１に用紙を収容する際の作業性が向上する。
【００３５】
引出トレイ３３は、トレイ本体部３１に収納させるか、またはトレイ本体部３１から引き出すことができるように形成されている。引出トレイ３３は、トレイ本体部３１に収納された場合、引出トレイ３３の先端が、トレイ本体部３１の先端（アーム３２が設けられている端部に対向する側の端部の先端）と揃うように形成されている。また、引出トレイ３３は、展開状態においてトレイ本体部３１から引き出された場合、支持面４１をトレイ本体部３１の先端側に実質的に伸ばすように形成されている。
【００３６】
展開トレイ３４は、引出トレイ３３の先端に回動可能に設けられ、引出トレイ３３に収納させるか、または引出トレイ３３から展開できるように形成されている。展開トレイ３４は、引出トレイ３３に収納された場合、引出トレイ３３に設けられている、対応する形状の凹部に入り込む。これにより、引出トレイ３３のトレイ本体部３１への収納またはトレイ本体部３１から引き出しを阻害しない。
【００３７】
展開状態において引出トレイ３３がトレイ本体部３１から引き出されて、さらに展開トレイ３４が引出トレイ３３から展開されると、展開トレイ３４は、斜め上を向く傾斜面を形成している引出トレイ３３の先端からさらに上方向を向く傾斜面を形成する。すなわち、Ｘ軸とＹ軸とがなす水平面と所定の角度で斜め上を向く傾斜面を形成している引出トレイ３３に対して、展開トレイ３４は、引出トレイ３３の傾斜面の角度より大きい角度で斜め上を向く傾斜面を形成する。これにより、スタッカ２２の上方から排出されて支持面４１に支持される用紙がトレイ本体部３１の先端から滑り落ちることを防止でき、用紙を適切に支持することができる。
【００３８】
引出部２４は、収容部２１の前側（用紙排出方向側：＋Ｙ側）の壁面を構成し、給紙カセット１１の前側に設けられ、収容部２１から前側に引き出すことができるように形成されている。給紙カセット１１の長さ（Ｙ軸方向の長さ）より長い用紙を給紙カセット１１に収容する場合、引出部２４が収容部２１から前側に引き出される。給紙カセット１１の前側には、収容部２１とスタッカ２２との間に開口部２３が形成されているので、給紙カセット１１内の用紙の有無を、開口部２３を介して容易に確認することができる。
【００３９】
加えて、引出部２４の用紙幅方向の長さ（Ｘ方向長さ）は、収容部２１の用紙幅方向長さよりも短い。これにより引出部２４の側方には、手指を差し入れることが可能な隙間２５（図４）が形成された状態となっている。このため、スタッカ２２の状態に拘わらず、引出部２４に手指を掛けることができ、そして引出部２４のスライド動作を容易に行うことができる。また、給紙カセット１１がプリンター本体に装着された場合でも、引出部２４の側方に形成された隙間２５を介して、給紙カセット内の用紙の有無や用紙残量を容易に確認することができる。
【００４０】
また、引出部２４は、用紙幅方向において収容部２１の中心からずれた位置に配置されているので（本実施例では図において左側）、引出部２４の側方に形成される隙間２５を大きく確保することができ、より容易に引出部２４を操作することができる。
【００４１】
尚、引出部２４は、収容部２１に収容できる用紙サイズを大きくするためのものであるため、収容部２１の内壁を構成しなくても良く、例えば用紙後端を支持するエッジガイドの役割を果たす構成であればよい。
【００４２】
図４乃至図７は、給紙カセット１１を備えるプリンター５１の上側の断面と外観とを示す斜視図である。図４は、収納状態の給紙カセット１１が装着されているプリンター５１の上側の断面と外観とを示す斜視図であり、図５は、収納状態の給紙カセット１１が引き出されたプリンター５１の上側の断面と外観とを示す斜視図である。図６は、引き出された給紙カセット１１が展開状態とされたプリンター５１の上側の断面と外観とを示す斜視図であり、図７は、展開状態の給紙カセット１１が装着されたプリンター５１の上側の断面と外観とを示す斜視図である。
【００４３】
プリンター５１は、記録装置の一例であり、給紙カセット１１に収容された用紙に文字や画像などを記録する。プリンター５１には、給紙カセット１１、本体６１、カバー６２、およびキャリッジ６３が設けられている。プリンター５１の本体６１には、カバー６２およびキャリッジ６３に加えて、用紙を搬送する搬送部（不図示）やユーザーによって操作される操作パネル（不図示）、全体を制御する制御部（不図示）などが設けられている。本体６１は、装置本体の一例である。カバー６２は、中間案内部材及びカバーの一例であり、本体６１の開口部であって、給紙カセット１１が装着される開口部に回動自在に設けられている。カバー６２は、本体６１に給紙カセット１１が装着された場合、給紙カセット１１の開口部２３を覆う。
【００４４】
キャリッジ６３は、インクなどによって用紙に文字または画像を描画する記録ヘッド（後述する）などを備え、記録を実行する場合、一例として図示しないモーターの動力によってＸ軸方向に移動する。
【００４５】
例えば、プリンター５１を使用しない場合、図４に示されるように、給紙カセット１１は収納状態とされ、収納状態の給紙カセット１１がプリンター５１に装着される。プリンター５１を使用しようとする場合または給紙カセット１１に用紙を収容しようとする場合、まず、図５に示されるように、収納状態の給紙カセット１１がプリンター５１から引き出され、さらに、図６に示されるように、引き出された給紙カセット１１が展開状態とされる。
【００４６】
すなわち、プリンター５１から引き出された給紙カセット１１のスタッカ２２は、ユーザーによってアーム３２を中心に回動させられ、支持面４１が上向きとなり、収容部２１の外側に展開される。また、引出トレイ３３は、ユーザーによってトレイ本体部３１から引き出される。さらに、展開トレイ３４は、ユーザーによって回動させられて引出トレイ３３から展開される。この場合、アーム３２によって、トレイ本体部３１が回動中心から離れた場所に位置させられるので、図６に示されるように、収容部２１の上側が大きく開放され、収容部２１に用紙を容易に収容することができる。
【００４７】
なお、給紙カセット１１に用紙を収容し、プリンター５１を使用しない場合、給紙カセット１１は、収納状態に戻されて、図４に示されるように、収納状態の給紙カセット１１がプリンター５１に装着される。
【００４８】
プリンター５１を使用しようとする場合、図７に示されるように、展開状態の給紙カセット１１がプリンター５１に装着される。給紙カセット１１は、装着状態において本体６１の周囲を構成する一の側面から突出した状態となり、給紙カセット１１において一の側面から突出した部分には、収容部２１とスタッカ２２との間に開口部２３が形成され、本体６１に設けられているカバー６２は、開口部２３を覆う。
【００４９】
収容部２１とスタッカ２２との間に開口部２３が形成され、本体６１には、開口部２３を覆うカバー６２が設けられていることから、給紙カセット１１内の媒体の有無を、開口部２３を介して容易に確認することができる。加えて、この開口部２３にはカバー６２が設けられることから、開口部２３内に異物が入り込むことを防止できる。
【００５０】
記録が行われて本体６１から排出される用紙は、展開状態にあるスタッカ２２によって支持される。
【００５１】
また、展開状態の給紙カセット１１がプリンター５１に装着されると、カバー６２の上面８１は、カバー６２の先端部（Ｙ軸方向の前側の端部）がトレイ本体部３１の支持面４１に支えられて持ち上げられ、先端に向かって斜め上を向く傾斜面となる。すなわち、カバー６２の上面８１は、スタッカ２２の展開状態において、排出される用紙をスタッカ２２に案内する案内面を形成する。
【００５２】
図８は、展開状態の給紙カセット１１が装着されたプリンター５１の、Ｚ軸およびＹ軸で規定される平面における断面図である。記録ヘッド１０１は、記録手段の一例であり、用紙に記録を行う。より詳細には、記録ヘッド１０１は、キャリッジ６３の底面側、すなわち、搬送部によって搬送される用紙側に設けられ、インクなどによって用紙に文字または画像を描画する。ローラー１０２は、前向き（図８中の右向き）に送り経路を介して用紙を搬送する場合、図示せぬ駆動部によって図８中の時計方向に回転させられる。ローラー１０３は、ローラー１０２に接するように配置され、前向きに送り経路を介して用紙を搬送する場合、ローラー１０２によって図８中の反時計方向に回転させられる。ローラー１０２およびローラー１０３は、用紙を挟み、記録ヘッド１０１およびローラー１０４に送る。
【００５３】
ローラー１０４は、記録ヘッド１０１によって記録された用紙を前向き（図８中の右向き）に搬送する場合、図示せぬ駆動部によって図８中の時計方向に回転させられる。ローラー１０４は、用紙を挟んで対向するローラー（不図示）に接するように配置される。ローラー１０４は、対向するローラーと記録された用紙を挟み、展開状態にあるスタッカ２２に送る。展開状態にあるスタッカ２２は、搬送されてきた用紙を支持する。
【００５４】
ローラー１０２およびローラー１０３が用紙を挟む点とローラー１０４および対向するローラーが用紙を挟む点とを結んだ直線は、スタッカ２２のトレイ本体部３１の支持面４１と交差する。このようにすることで、厚紙である用紙に記録する場合、用紙の後端部がローラー１０２およびローラー１０３を通過しても、ローラー１０４および対向するローラーとスタッカ２２のトレイ本体部３１の支持面４１とが用紙を支えることになり、用紙と記録ヘッド１０１との距離が維持されて、用紙が記録ヘッド１０１に接することなく、記録の質を低下させることなく、記録が可能になる。
【００５５】
また、展開状態の給紙カセット１１がプリンター５１に装着されると、カバー６２の先端部が支持面４１に持ち上げられて、カバー６２は、排出される用紙をスタッカ２２に案内する案内面を形成する。より詳細には、カバー６２の先端部が支持面４１に持ち上げられて、カバー６２の上面８１の傾斜角は、斜め上を向く支持面４１の傾斜角とほぼ同じとなり、これによって、カバー６２の上面８１と支持面４１とが一体の面を形成する。すなわち、カバー６２は、スタッカ２２の展開状態において、スタッカ２２が備える支持面４１を本体６１側に向けて延長する。カバー６２は、スタッカ２２の展開状態において、排出される用紙をスタッカ２２に案内する案内面を形成するので、排出される用紙が円滑にスタッカ２２に支持される。
【００５６】
このように、カバー６２は回動可能に設けられ、スタッカ２２の姿勢に応じて姿勢変化が可能とされている。カバー６２は回動可能に設けられ、スタッカ２２の姿勢に応じて姿勢変化が可能であるので、排出される用紙をより円滑にスタッカ２２に案内することができる。
【００５７】
図９は、収納状態の給紙カセット１１が引き出され、引出部２４が収容部２１から前側に引き出されたプリンター５１の上側の断面と外観とを示す斜視図である。引出部２４が収容部２１から前側に引き出されると、収容部２１とスタッカ２２との間の開口部２３がＹ軸方向に大きくなり、開口部２３から容易に用紙を収容部２１に収容することが可能になる。また、給紙カセット１１の長さ（Ｙ軸方向の長さ）より長い用紙を給紙カセット１１に収容することができる。
【００５８】
なお、記録装置の一例として、プリンター５１をあげたが、これに限らず、印刷装置、複写機、またはファクシミリ装置その他の装置である記録装置であってもよい。
【００５９】
このように、給紙カセット１１には、用紙を収容する収容部２１と、収容部２１に対し回動可能に設けられ、回動することにより収容部２１の上部に位置するとともに用紙を支持する支持面４１が下向きとなる収納状態と、支持面４１が上向きとなるとともに収容部２１の外側に支持面４１の少なくとも一部が展開される展開状態とを取り得るスタッカ２２とを設けることができる。給紙カセット１１に設けられたスタッカ２２が、回動することにより収容部２１の上部に位置するとともに用紙を支持する支持面４１が下向きとなる収納状態と、支持面４１が上向きとなるとともに収容部２１の外側に支持面４１が展開される展開状態とを取り得るので、収納状態と展開状態とで異なる姿勢を設定することができる。その為、収納状態において給紙カセット１１の高さ方向（用紙の積重方向）寸法を抑えることができ、更に展開状態においてスタッカ２２の適切な姿勢を確保することができる。
【００６０】
スタッカ２２を、展開状態において支持面４１がスタッカ２２の先端に向かって斜め上を向く傾斜面とすることができる。スタッカ２２が、展開状態において支持面４１がスタッカ２２の先端に向かって斜め上を向く傾斜面となるので、スタッカ２２の上方から排出されて支持面４１に支持される用紙がスタッカ２２から滑り落ちることを防止でき、用紙を適切に支持することができる。
【００６１】
スタッカ２２に、支持面４１を形成するトレイ本体部３１と、スタッカ２２の回動軸線方向においてトレイ本体部３１の両端部に設けられ、トレイ本体部３１からスタッカ２２の回動中心に向かって延びる形状を成し、収容部２１と回動可能に連結されてスタッカ２２の回動中心を形成するアーム３２とを設けることができる。スタッカ２２のトレイ本体部３１が、回動中心を形成するアーム３２を介して収容部２１に回動可能となっている。即ち、展開状態においてトレイ本体部３１が回動中心から離れた場所に位置することができる。これにより展開状態において、収容部２１の上方を大きく開放することができ、収容部２１に用紙を収容する際の作業性が向上する。
【００６２】
プリンター５１に、用紙に記録を行う記録ヘッド１０１と、記録ヘッド１０１を備えた本体６１に対し着脱可能な給紙カセット１１と、を設け、記録が行われて本体６１から排出される用紙が、展開状態にあるスタッカ２２によって支持されるようにすることができる。この場合、上記と同様な作用効果を得ることができる。
【００６３】
給紙カセット１１が、装着状態において本体６１の周囲を構成する一の側面から突出した状態となり、給紙カセット１１において一の側面から突出した部分には、収容部２１とスタッカ２２との間に開口部２３が形成される。また、本体６１には、開口部２３を覆うカバー６２を設けることができる。収容部２１とスタッカ２２との間に開口部２３が形成されていることから、給紙カセット１１内の用紙の有無を、開口部２３を介して容易に確認することができる。加えて、この開口部２３にはカバー６２が設けられることから、開口部２３内に異物が入り込むことを防止できる。尚、カバー６２は、プリンター本体側に設けられているが、給紙カセット１１側に設けられていても良い。
【００６４】
カバー６２は、用紙搬送経路において排出ローラーとしてのローラー１０４と、媒体支持トレイとしてのスタッカ２２との間に設けられている。カバー６２に、スタッカ２２の展開状態において、排出される用紙をスタッカ２２に案内する案内面としての上面８１を形成させることができる。カバーが、スタッカ２２の展開状態において、中間案内部材として、排出される用紙をスタッカ２２に案内する上面８１を形成するので、排出される用紙が円滑にスタッカ２２に支持される。
【００６５】
カバー６２が回動可能に設けられ、スタッカ２２の姿勢に応じて姿勢変化を可能とすることができる。カバー６２が回動可能に設けられ、スタッカ２２の姿勢に応じて姿勢変化が可能であるので、排出される用紙をより円滑にスタッカ２２に案内することができる。
【００６６】
カバー６２は、用紙をスタッカ２２に案内する案内面（上面８１）を形成する中間案内部材を兼ねるので、開口部２３内に異物が入り込むことを防止できる。加えて、中間案内部材がカバーを兼ねることで、コストアップを抑えることができる。
【００６７】
尚、本発明は上記実施例に限定されることなく、特許請求の範囲に記載した発明の範囲内で、種々の変形が可能であり、それらも本発明の範囲内に含まれるものであることは言うまでもない。
【００６８】
例えば、給紙カセット１１は本実施形態ではプリンター本体に対し着脱可能であるが、プリンター本体に対し一体に設けられ、即ちプリンター本体に用紙を収容する収容部２１が一体に設けられた構成においても適用可能である。その場合、スタッカ２２は、上記実施形態と同様に、回動可能に設けられる。
【００６９】
また、上記実施形態においてスタッカ２２は、収納状態において収容部２１の底面と略平行であり、展開状態において上向き傾斜となるが、収納状態において所定の傾斜角を有していても良い。
【符号の説明】
【００７０】
１１  給紙カセット、２１  収容部、２２  スタッカ、２３  開口部、２４  引出部、３１  トレイ本体部、３２  アーム、３３  引出トレイ、３４  展開トレイ、４１  支持面、５１  プリンター、６１  本体、６２  カバー、６３  キャリッジ、８１  上面、１０１  記録ヘッド、１０２  ローラー、１０３  ローラー、１０４  ローラー
【図１】
2014213982.tif 000003
【図２】
2014213982.tif 000004
【図３】
2014213982.tif 000005
【図４】
2014213982.tif 000006
【図５】
2014213982.tif 000007
【図６】
2014213982.tif 000008
【図７】
2014213982.tif 000009
【図８】
2014213982.tif 000010
【図９】
2014213982.tif 000011